(57)【要約】【課題】１枚のシート材から簡便に組み立てることができる鳴音玩具を提供する。【解決手段】１枚のシート材を裁断してなり、本体上板部２と本体下板部３を上下に連続して有する平板状の本体板部４と、本体下板部３に折曲線５を介して連続し、該本体下板部３の一側面３Ａ側に重ね合わせた一側下板部６と、一側下板部６の上部に折曲線７を介して連続し、上方に向かって延設されると共に、揺動可能に設けられ、本体上板部２の一側面２Ａを叩打する打音部１１を有する揺動板部８とを備える。折曲線５に沿って一側下板部６を本体下板部３に重ね合わせて組み立て、重ねた本体下板部３と一側下板部６を把持して振れば、揺動板部８が揺動し、打音部１１が本体上板部２に当たって音が発生する。このように運搬時には平坦な１枚の厚紙として扱うことができ、使用時には父母などが簡便に組み立てることができる。【選択図】図２
0003235325.tif 000002
【実用新案登録請求の範囲】
【請求項１】
１枚のシート材を裁断してなり、
本体上板部と本体下板部を上下に連続して有する平板状の本体板部と、
前記本体下板部に折曲線を介して連続し、該本体下板部の一側面側に重ね合わせた一側下板部と、
前記一側下板部の上部に折曲線を介して連続し、上方に向かって延設されると共に、揺動可能に設けられ、前記本体上板部の一側面を叩打する打音部を有する揺動板部とを備えることを特徴とする鳴音玩具。
【請求項２】
前記一側下板部に該一側下板部の左右一側縁の折曲線を介して連続し、前記本体下板部の他側面側に重ね合わせた他側下板部と、
前記他側下板部の上部に折曲線を介して連続し、上方に向かって延設されると共に、揺動可能に設けられ、前記本体上板部の他側面を叩打する打音部を有する揺動板部とを備えることを特徴とする請求項１記載の鳴音玩具。
【請求項３】
前記揺動板部の上部に折曲線を介して連続し、幅方向中央側を前記揺動板部の前記本体上板部側の面に重ね合わせて接着部により接着した打音部形成板部を備え、
前記打音部形成板部の前記接着部を挟んだ両側に左右の折曲線を設けると共に、前記打音部形成板部の左右を前記左右の折曲線で前記本体上板部側に折り曲げて左右の前記打音部を形成し、前記打音部の先端が前記本体上板部を叩打するように構成したことを特徴とする請求項１又は２記載の鳴音玩具。
【請求項４】
前記一側下板部に該一側下板部の左右他側縁の折曲線を介して連続し、前記本体下板部の他側面側に重ね合わせた連結板部を備え、前記連結板部と前記他側下板部の一方にフック片部を形成すると共に、前記連結板部と前記他側下板部の他方に、前記フック片部が挿入係止する係止孔を形成したことを特徴とする請求項２記載の鳴音玩具。
【請求項５】
前記打音部の基端の前記左右の折曲線の中央側に、前記揺動板部側に突出した突起片部を形成し、この突起片部が前記揺動板部に圧接して前記打音部が起立保持するように構成したことを特徴とする請求項３記載の鳴音玩具。
【考案の詳細な説明】
【技術分野】
【０００１】
本考案は、鳴音玩具に関する。
【背景技術】
【０００２】
従来、この種の鳴音玩具として、団扇の柄にピアノ線により形板を装着し、この形板が団扇に接触して音を発するもの（例えば特許文献１）や、団扇の柄の両側にピアノ線により玉を設け、両側の玉が柄の先端側を叩いて音を発するもの（例えば特許文献２）や、偏平な玩具本体に揺動打撃片を枢軸を介して揺動自在に枢着し、打撃片の先端側が玩具本体に当たって音を発するもの（例えば特許文献３）や、団扇と、該団扇の柄を着脱自在に係止する把手体と、該把手体から団扇の扇面の両側まで延設された一対のバネ状体と、該バネ状体の先端部に取り付られて前記扇面を叩打して音を発する叩打子とからなるもの（例えば特許文献４）や、長方形の中央板の表裏に、該中央板と同形か、やや大なる任意形状に形成した一対の表面板が、表面板の表面中央寄り上部に横設した三角溝の下方において中央板にそれぞれ接着され、上方は接着されず振動部を形成し、且つ表面板の内面上方に突起部をそれぞれ設け、振動部が突起部に当たって音を発するもの（例えば特許文献５）などがある。
【０００３】
上記従来技術のものは、いずれも団扇，団扇の柄，玩具本体，中央板などの本体に、該本体に当たって音を発する部材を取り付ける構成であり、本体とこの本体とは別体の部材を用いた複雑な構造となる。
【０００４】
このため既に完成した把手体などの部品や完成した製品を購入して使用することはできるが、幼児の父母などが１枚のシート材から簡便に組み立てることはできなかった。
【先行技術文献】
【特許文献】
【０００５】
【特許文献１】実公昭２５−１７３２号公報
【特許文献２】実公昭２５−１７３１号公報
【特許文献３】実用新案登録第３０４１５２８号公報
【特許文献４】実公平５−１５２１１号公報
【特許文献５】実開平１−１８０２９５号公報
【考案の概要】
【考案が解決しようとする課題】
【０００６】
そこで、本考案は、上記課題を解決するものであり、１枚のシート材から簡便に組み立てることができる鳴音玩具を提供することを目的とする。
【課題を解決するための手段】
【０００７】
請求項１の考案は、１枚のシート材を裁断してなり、本体上板部と本体下板部を上下に連続して有する平板状の本体板部と、前記本体下板部に折曲線を介して連続し、該本体下板部の一側面側に重ね合わせた一側下板部と、前記一側下板部の上部に折曲線を介して連続し、上方に向かって延設されると共に、揺動可能に設けられ、前記本体上板部の一側面を叩打する打音部を有する揺動板部とを備えることを特徴とする。
【０００８】
請求項２の考案は、前記一側下板部に該一側下板部の左右一側縁の折曲線を介して連続し、前記本体下板部の他側面側に重ね合わせた他側下板部と、前記他側下板部の上部に折曲線を介して連続し、上方に向かって延設されると共に、揺動可能に設けられ、前記本体上板部の他側面を叩打する打音部を有する揺動板部とを備えることを特徴とする。
【０００９】
請求項３の考案は、前記揺動板部の上部に折曲線を介して連続し、幅方向中央側を前記揺動板部の前記本体上板部側の面に重ね合わせて接着部により接着した打音部形成板部を備え、前記打音部形成板部の前記接着部を挟んだ両側に左右の折曲線を設けると共に、前記打音部形成板部の左右を前記左右の折曲線で前記本体上板部側に折り曲げて左右の前記打音部を形成し、前記打音部の先端が前記本体上板部を叩打するように構成したことを特徴とする。
【００１０】
請求項４の考案は、前記一側下板部に該一側下板部の左右他側縁の折曲線を介して連続し、前記本体下板部の他側面側に重ね合わせた連結板部を備え、前記連結板部と前記他側下板部の一方にフック片部を形成すると共に、前記連結板部と前記他側下板部の他方に、前記フック片部が挿入係止する係止孔を形成したことを特徴とする。
【００１１】
請求項５の考案は、前記打音部の基端の前記左右の折曲線の中央側に、前記揺動板部側に突出した突起片部を形成し、この突起片部が前記揺動板部に圧接して前記打音部が起立保持するように構成したことを特徴とする。
【考案の効果】
【００１２】
請求項１の構成によれば、折曲線で一側下板部を折り曲げ、一側下板部を本体下板部に重ね合わせて組み立て、重ねた本体下板部と一側下板部を把持して振れば、揺動板部が揺動し、打音部が本体上板部に当たって音が発生する。このように運搬時には平坦な１枚のシート材として扱うことができ、使用時には父母などが簡便に組み立てることができる。
【００１３】
請求項２の構成によれば、請求項１の効果に加えて、折曲線で他側下板部を折り曲げ、他側下板部を本体下板部に重ね合わせて組み立て、重ねた本体下板部と一側下板部と他側下板部を把持して振れば、本体上板部の両側に位置する揺動板部が揺動し、両側の打音部が本体上板部に当たって音が発生する。このように運搬時には平坦な１枚のシート材として扱うことができ、使用時には父母などが簡便に組み立てることができる。
【００１４】
請求項３の構成によれば、打音部形成板部を折り曲げて前記揺動板部の前記本体上板部側の面に重ね合わせて接着し、打音部形成板部の左右を本体上板部側に折り曲げて左右の前記打音部を形成することができ、左右２箇所の打音部が本体上板部に当たって音が発せられる。
【００１５】
請求項４の構成によれば、フック片部を係止孔に挿入係止することにより連結板部と他側下板部とが連結される。
【００１６】
請求項５の構成によれば、折曲線において折り曲げた打音部を起立保持することができる。
【図面の簡単な説明】
【００１７】
【図１】本考案の実施例１を示す組立前のシート材の展開図である。
【図２】同上、一側面側から見た斜視図である。
【図３】同上、他側面側から見た斜視図である。
【図４】同上、側面から見た斜視図である。
【図５】同上、打音部の組立方法を説明する斜視図であり、図５（Ａ）は揺動面部の内面に打音部形成板部を重ね合わせた状態を示し、図５（Ｂ）は打音部形成板部の左右を外側に折り曲げて打音部を形成した状態を示す。
【図６】同上、打音部周りの要部の拡大断面図である。
【考案を実施するための形態】
【００１８】
本考案における好適な実施の形態について、添付図面を参照しながら詳細に説明する。
【実施例１】
【００１９】
以下、本考案の実施例を添付図面を参照して説明する。図１〜図６は本考案の実施例１を示す。同図に示すように、鳴音玩具１は、１枚のシート材たる厚紙を裁断してなり、図１などに示すように、略星形の本体上板部２と略長方形形状の本体下板部３を上下に連続して有する平板状の本体板部４を備え、前記本体下板部３の下縁に横方向の折曲線５を介して、前記本体下板部３と略同形の一側下板部６が連続し、図２に示すように、前記一側下板部６は上方に折り返されて前記本体下板部３の一側面３Ａに重ね合わされる。尚、前記折曲線には、折り易いように折り目加工が施され、例えば、スジ入れ加工で各折曲線を折り曲げ易くしている。
【００２０】
また、前記一側下板部６を前記本体下板部３の一側面３Ａに重ね合わせた状態で、前記一側下板部６の上部の横方向の折曲線７を介して、揺動板部８が前記一側下板部６に連続し、この揺動板部８は、図２などに示すように、上方に向かって斜め外向きに延設されると共に、揺動可能に設けられ、前記本体上板部２の一側面２Ａを叩打する打音部１１を有する。尚、前記打音部１１を設けない場合は、揺動板部８の先端側が前記本体上板部２に当たって音を発する打音部になる。また、別体の打音部を揺動板部８に取り付けてもよく、その別体の打音部はシート材以外の材質のものを用いても良い。
【００２１】
また、図１などに示すように、前記一側下板部６の左右一側縁である右側縁には縦方向の折曲線１５を介して他側下板部１６が連続し、この他側下板部１６は前記本体下板部３より左右幅狭に形成されている。そして、前記一側下板部６を前記本体下板部３に重ね合わせた後、図３に示すように、前記他側下板部１６は、折曲線１５において折り返され、前記本体下板部３の他側面３Ｂ側に重ね合わされる。
【００２２】
また、前記他側下板部１６を前記本体下板部３の他側面３Ｂに重ね合わせた状態で、前記他側下板部１６の上部に横方向の折曲線７を介して揺動板部８が前記他側下板部１６に連続し、この他側下板部１６に連続する揺動板部８も、前記一側下板部６に連続する揺動板部８と同一構成であって、図３などに示すように、上方に向かって斜め外向きに延設されると共に、揺動可能に設けられ、前記本体上板部２の他側面２Ｂを叩打する打音部１１を有する。尚、前記打音部１１を設けない場合は、他側下板部１６に連続する揺動板部８の先端側が前記本体上板部２に当たって音を発する打音部になる。
【００２３】
また、図１などに示すように、前記一側下板部６の左右他側縁たる左側縁には縦方向の折曲線２１を介して連結板部２２が連続し、この連結板部２２は前記本体下板部３より左右幅狭に形成されている。そして、図３に示すように、前記連結板部２２は折曲線２１において折り返され、前記本体下板部３の他側面３Ｂ及び前記他側下板部１６に重ね合わされる。
【００２４】
前記連結板部２２の先端縁にフック片部２４を形成すると共に、前記フック片部２４が挿入係止する係止孔２５を前記他側下板部１６に設けている。従って、図３に示すように、フック片部２４を係止孔２５に挿入すると、連結板部２２の先端側が前記他側下板部１６に重ね合わされた状態で、他側下板部１６に連結板部２２が連結固定され、本体下板部３を一側下板部６と他側下板部１６が挟んだ状態で組み立てられる。
【００２５】
尚、変形例として、図示しないが、前記連結板部２２に前記係止孔２５を形成すると共に、前記フック片部２４を前記他側下板部１６の先端縁に設けてもよい。
【００２６】
また、図１及び図３に示すように、前記連結板部２２には、前記他側下板部１６の先端縁の位置に対応して、縦方向の折曲線２６が形成され、この折曲線２６が他側下板部１６の厚さに対応して僅かに曲がることにより、連結板部２２が他側下板部１６の外面に面接触状態で重なる。
【００２７】
次に、前記打音部１１について説明する。図１及び図５（Ａ）の破線に示すように、前記揺動板部８の上部に横方向の折曲線３１を介して打音部形成板部３２が連続して設けられており、この打音部形成板部３２は揺動板部８の先端側より左右幅広に形成され、前記折曲線３１を介して、前記打音部形成板部３２の幅方向中央側を、前記揺動板部８の本体上板部２側の面である内面８Ｎに重ね合わせると共に、その内面８Ｎに接着部３３により接着する。
【００２８】
尚、図１に示すように、前記折曲線３１の左右に設けた横方向の分離線３１Ａ，３１Ａにより、揺動板部８の上部左右と打音部形成板部３２とが分離されており、前記折曲線３１は、分離線３１Ａ，３１Ａの長さ分だけ前記揺動板部８の左右幅より幅狭に形成されている。また、図６に示すように、前記接着部３３の左右幅Ｗは左右の折曲線３５，３５の間隔より狭い。
【００２９】
図５に示すように、前記打音部形成板部３２の左右を、縦方向をなす左右の折曲線３５，３５において前記本体上板部２側に折り曲げて前記打音部１１，１１を形成する。また、前記打音部１１の前記折曲線３１の中央側に前記揺動板部８側に突出する略コ字型の突起片部３６を形成し、この突起片部３６の先端たる先端縁３６Ｆが前記揺動板部８に圧接して前記打音部１１が起立保持する。尚、突起片部３６は、前記打音部形成板部３２に略コ字状の切り込みを入れて形成され、該突起片部３６の先端縁３６Ｆは前記折曲線３５の位置より打音部形成板部３２の中央側に位置する。
【００３０】
即ち、図６に示すように、打音部１１を揺動板部８に対して略直角に折り曲げると、突起片部３６の先端縁３６Ｆは、前記折曲線３５の位置より内面８Ｎ側に突出するものであり、折曲線３５において折り曲げて打音部１１を起立すると、突起片部３６の先端縁３６Ｆが揺動板部８の内面８Ｎに当接し、接着部３３と折曲線３５の間で打音部形成板部３２が内面８Ｎから離れるように僅かに弾性変形し、先端縁３６Ｆが揺動板部８の内面８Ｎに圧接する。
【００３１】
また、打音部１１の先端縁１１Ｆは、本体上板部２に当たった際、線接触するように斜めに形成されている。
【００３２】
このように１枚の厚紙から鳴音玩具１を簡便に組み立てることができる。また、紙製であるから、外部に当たっても、当たった部分が損傷することがない。そして、本体下板部３側を持って鳴音玩具１を振ると、両側にそれぞれ２か所設けた打音部１１，１１，１１，１１が揺動板部８，８の揺動により本体上板部２を叩き、音が発生する。
【００３３】
このように本実施例では、請求項１に対応して、１枚のシート材たる厚紙を裁断してなり、本体上板部２と本体下板部３を上下に連続して有する平板状の本体板部４と、本体下板部３に折曲線５を介して連続し、該本体下板部３の一側面３Ａ側に重ね合わせた一側下板部６と、一側下板部６の上部に折曲線７を介して連続し、上方に向かって延設されると共に、揺動可能に設けられ、本体上板部２の一側面２Ａを叩打する打音部１１を有する揺動板部８とを備えるから、折曲線５で一側下板部６を折り曲げ、一側下板部６を本体下板部３に重ね合わせて組み立て、重ねた本体下板部３と一側下板部６を把持して振れば、揺動板部８が揺動し、打音部１１が本体上板部２に当たって音が発生する。このように運搬時には平坦な１枚の厚紙として扱うことができ、使用時には父母などが簡便に組み立てることができる。
【００３４】
このように本実施例では、請求項２に対応して、一側下板部６に該一側下板部６の左右一側縁の折曲線１５を介して連続し、本体下板部３の他側面３Ｂ側に重ね合わせた他側下板部１６と、他側下板部１６の上部に折曲線７を介して連続し、上方に向かって延設されると共に、揺動可能に設けられ、本体上板部２の他側面２Ｂを叩打する打音部１１を有する揺動板部８とを備えるから、折曲線１５で他側下板部１６を折り曲げ、他側下板部１６を本体下板部３に重ね合わせて組み立て、重ねた本体下板部３と一側下板部６と他側下板部１６を把持して振れば、本体上板部２の両側に位置する揺動板部８，８が揺動し、両側の打音部１１，１１が本体上板部２に当たって音が発生する。
【００３５】
このように本実施例では、請求項３に対応して、揺動板部８の上部に折曲線３１を介して連続し、幅方向中央側を揺動板部８の本体上板部２側の面である内面８Ｎに重ね合わせて接着部３３により接着した打音部形成板部３２を備え、打音部形成板部３２の接着部３３を挟んだ両側に左右の折曲線３５，３５を設けると共に、打音部形成板部３２の左右を左右の折曲線３５，３５で本体上板部２側に折り曲げて左右の打音部１１，１１を形成し、打音部１１の先端たる先端縁１１Ｆが本体上板部２を叩打するように構成したから、打音部形成板部３２を折曲線３１で折り曲げて揺動板部８の内面８Ｎに重ね合わせて接着し、打音部形成板部３２の左右を本体上板部２側に折り曲げて左右の打音部１１，１１を形成することができ、左右２箇所の打音部１１，１１が本体上板部２に当たって音が発せられる。
【００３６】
このように本実施例では、請求項４に対応して、一側下板部６に該一側下板部６の左右他側縁の折曲線２１を介して連続し、本体下板部３の他側面３Ｂ側に重ね合わせた連結板部２２を備え、連結板部２２と他側下板部１６の一方である連結板部２２にフック片部２４を形成すると共に、連結板部２２と他側下板部１６の他方である他側下板部１６に、フック片部２４が挿入係止する係止孔２５を形成したから、フック片部２４を係止孔２５に挿入係止することにより連結板部２２と他側下板部１６とが連結される。
【００３７】
このように本実施例では、請求項５に対応して、打音部１１の基端の前記左右の折曲線３５，３５の中央側に、揺動板部８側に突出した突起片部３６を形成し、この突起片部３６が揺動板部８に圧接して打音部１１が起立保持するように構成したから、折曲線３５において折り曲げて形成した打音部１１を起立保持することができる。
【００３８】
尚、本考案は、本実施例に限定されるものではなく、本考案の要旨の範囲内で種々の変形実施が可能である。例えば、本体板部の形状は適宜選定可能である。また、請求項１では、本体下板部の左右一側縁に縦方向の折曲線を設け、この縦方向の折曲線を介して本体下板部に連続する一側下板部を、本体下板面に重ね合わせるようにしても良く、この場合、展開図の状態で、一側縁の上方の横方向の折曲線を介して連続する揺動板部を、本体上板部と同一方向に延設すれば良い。また、シート材として実施例では紙製のものを示したが、プラステック等の他の材質のシート材を用いてもよい。
【符号の説明】
【００３９】
１  鳴音玩具
２  本体上板部
３  本体下板部
３Ａ  一側面
３Ｂ  他側面
４  本体板部
５  折曲線
６  一側下板部
７  折曲線
８  揺動板部
８Ｎ  内面（揺動板部の本体上板部側の面）
１１  打音部
１１Ｆ  先端縁（先端）
１５  折曲線
１６  他側下板部
２１  折曲線
２２  連結板部
２４  フック片部
２５  係止孔
３１  折曲線
３２  打音部形成板部
３３  接着部
３５  左右の折曲線
３６  突起片部
【図１】
0003235325.tif 000003
【図２】
0003235325.tif 000004
【図３】
0003235325.tif 000005
【図４】
0003235325.tif 000006
【図５】
0003235325.tif 000007
【図６】
0003235325.tif 000008